(57)【要約】【課題】記憶媒体の着脱を自動的に行うことができるオートローディング機構を有すると共に、ノートパソコン及び携帯機器等の小型の機器に搭載することが可能な記憶媒体装着装置の提供。【解決手段】スライダー１０を手動で所定位置までスライドさせ、その後にモータ４０及びギヤ機構５０によりスライドシャーシ２０を自動的にスライドさせて、スライダー１０に装着されたｉＶＤＲ１００のコネクタ接続部をコネクタ部７に接続する。ロック機構３０によりスライダー１０及びスライドシャーシ２０をロックし、ロック解除機構７０によりロックを自動的に解除する。また、スライドシャーシ２０のスライド方向について、スライドシャーシ２０とギヤ機構５０とをコネクタ部７を間にして並べて配設する。【選択図】図３
2007257717.tif 000002
【特許請求の範囲】
【請求項１】
記憶媒体が装着される装着体と、記憶媒体に設けられたコネクタ接続部に接続されるコネクタ部とを備える記憶媒体装着装置において、
前記装着体が移動可能に取り付けられた第１シャーシと、
該第１シャーシが移動可能に取り付けられた第２シャーシと、
前記装着体を前記第１シャーシに係止する係止手段と、
前記第１シャーシを移動させるアクチュエータと
を備え、
前記コネクタ部は前記第２シャーシに配設してあり、
前記アクチュエータが前記第１シャーシを移動させて、前記装着体に装着された記憶媒体のコネクタ接続部を前記コネクタ部に接続するようにしてあること
を特徴とする記憶媒体装着装置。
【請求項２】
記憶媒体が装着される装着体と、記憶媒体に設けられたコネクタ接続部に接続されるコネクタ部とを備える記憶媒体装着装置において、
前記装着体が摺動可能に取り付けられた第１シャーシと、
前記装着体の摺動方向へ前記第１シャーシが摺動可能に取り付けられた第２シャーシと、
前記装着体を摺動の所定位置にて前記第１シャーシに対して係止する係止手段と、
該係止手段により前記装着体が前記第１シャーシに係止された場合に、前記第１シャーシを前記第２シャーシに対して前記摺動方向へ摺動させる摺動手段と
を備え、
前記コネクタ部は前記第２シャーシに配設してあり、
前記摺動手段が前記第１シャーシを摺動させて、前記装着体に装着された記憶媒体のコネクタ接続部を前記コネクタ部に接続するようにしてあること
を特徴とする記憶媒体装着装置。
【請求項３】
記憶媒体の装着解除指示を受け付ける受付手段と、
前記係止手段による前記装着体及び前記第１シャーシの係止を解除する係止解除手段と
を備え、
該受付手段が装着解除指示を受け付けた場合、
前記摺動手段は、前記コネクタ部への接続方向の反対方向へ前記第１シャーシを摺動させるようにしてあり、
前記係止解除手段が、前記装着体及び前記第１シャーシの係止を解除するようにしてある請求項２に記載の記憶媒体装着装置。
【請求項４】
前記装着体を前記反対方向へ付勢する付勢手段を備える請求項３に記載の記憶媒体装着装置。
【請求項５】
前記係止手段は、
前記装着体に突設された係止突起と、
該係止突起を係止する位置又は係止しない位置の間で変位可能に前記第１シャーシに設けられ、前記摺動方向に対して傾斜した傾斜部分を有する係止爪と、
該係止爪を前記係止する位置へ付勢する付勢手段と
を有し、
前記装着体に装着された記憶媒体のコネクタ接続部を前記コネクタ部に接続する方向へ前記装着体を摺動させ、前記係止突起が前記係止爪の傾斜部分に当接した場合に、前記係止突起が前記係止爪を前記係止しない位置へ変位させるようにしてあり、
前記係止解除手段は、前記第２シャーシに配設され、前記係止爪を前記係止しない位置へ変位させるようにしてある請求項３又は請求項４に記載の記憶媒体装着装置。
【請求項６】
前記摺動手段は、
モータと、
該モータの回転運動を前記摺動方向での直線運動に変換するギヤ機構と
を有し、
該ギヤ機構により前記第１シャーシを直線的に摺動させるようにしてある請求項２乃至請求項５のいずれか１つに記載の記憶媒体装着装置。
【請求項７】
前記摺動方向について、前記第１シャーシ及び前記ギヤ機構が、前記コネクタ部を間にして並べて配してある請求項６に記載の記憶媒体装着装置。
【請求項８】
前記モータ及び前記ギヤ機構は、前記第２シャーシに配設してあり、
前記モータの回転軸に連結された回転体と、
前記第２シャーシに固定されるカバーと
を備え、
前記回転体の一部又は全部が、前記カバーに形成された開口から外部へ露出するようにしてある請求項６又は請求項７に記載の記憶媒体装着装置。
【発明の詳細な説明】
【技術分野】
【０００１】
本発明は、装置本体に設けられたコネクタに電気的に接続される接続端子を有する着脱可能な記憶媒体を、容易に且つ確実に着脱することができる記憶媒体装着装置に関する。
【背景技術】
【０００２】
近年、大容量の記憶媒体としてブルーレイディスク及びＨＤ−ＤＶＤ等の光記憶媒体と共に、磁気記憶媒体であるリムーバブルハードディスクが注目されている。リムーバブルハードディスクの規格には、例えばｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）、ｉＶＤＲ  ｍｉｎｉ及びｉＶＤＲ  ｍｉｃｒｏ等がある。これらのリムーバブルハードディスクは、矩形板状をなす合成樹脂製の筐体内に２．５インチ、１．８インチ又は１．０インチ等の小型のハードディスクを収納したものであり、筐体の一の面には機器と接続を行うための接続端子が設けられ、この接続端子を介してＰＣ（パーソナルコンピュータ）又はビデオレコーダ等の電気機器との間でデータの授受を行うようにしてある。
【０００３】
リムーバブルハードディスクを利用してデータの記憶を行う電気機器には、リムーバブルハードディスクを装着するための装着装置が備えられており、記憶媒体の装着装置に関して種々の発明が提案されている。
【０００４】
例えば、特許文献１においては、装置本体から突出するエジェクト釦を備え、エジェクト釦を押し込んで記憶媒体を取り出すようにしてある装着装置において、記憶媒体が装着された状態ではエジェクト釦が突出せず、記憶媒体が装着されていない状態でのみエジェクト釦が突出する構成とすることによって、誤操作を防止できる装着装置が提案されている。
【特許文献１】特開２００４−１６５０７１号公報
【発明の開示】
【発明が解決しようとする課題】
【０００５】
特許文献１に記載の装着装置は、記憶媒体の装着及び離脱をユーザの押圧力により行うものであるが、近年の装着装置では、記憶媒体の装着及び離脱を自動的に行う機構、所謂オートローディング機構を搭載していることが好ましい。オートローディング機構を搭載することにより、記憶媒体と装着装置とを確実に電気的に接続することが可能であり、また、記憶媒体からデータの読み出し又はデータの書き込み等を行っている場合に、オートローディング機構を動作させないことにより、誤操作によって記憶媒体が排出されることを防止できるなどの利点がある。しかしながら、オートローディング機構を搭載する場合には、動力を発生するモータ及び動力を伝達するギヤ機構等を備える必要があるため、装着装置の大型化を招き、ノートパソコン又は携帯機器等の小型の電気機器に搭載することが難しいという問題があった。
【０００６】
本発明は、斯かる事情に鑑みてなされたものであって、その目的とするところは、記憶媒体が装着された装着体を手動で第１シャーシに対して移動させ、装着体を第１シャーシに係止し、アクチュエータにより第１シャーシを第２シャーシに対して自動的に移動させて、記憶媒体のコネクタ接続部を第２シャーシに設けられたコネクタ部に接続する構成とすることにより、オートローディング機構を小型化することができる記憶媒体装着装置を提供することにある。
【０００７】
また本発明の他の目的とするところは、記憶媒体が装着された装着体を手動で第１シャーシに対して所定位置まで摺動させ、所定位置にて装着体を第１シャーシに係止し、係止後に第１シャーシを第２シャーシに対して自動的に摺動させて、記憶媒体のコネクタ接続部を第２シャーシに設けられたコネクタ部に接続する構成とすることにより、オートローディング機構を小型化することができる記憶媒体装着装置を提供することにある。
【０００８】
また本発明の他の目的とするところは、記憶媒体の装着解除指示を受け付けた場合に、記憶媒体のコネクタ接続部を第２シャーシに設けられたコネクタ部に接続する方向の反対方向へ、第１シャーシを自動的に摺動させ、装着体及び第１シャーシの係止を解除する構成とすることにより、記憶媒体の取り出しを自動的に行うことができる記憶媒体装着装置を提供することにある。
【０００９】
また本発明の他の目的とするところは、記憶媒体のコネクタ接続部を第２シャーシに設けられたコネクタ部に接続する方向の反対方向へ、装着体を付勢する付勢手段を備える構成とすることにより、記憶媒体を取り出す場合に装着体を自動的に摺動させることができる記憶媒体装着装置を提供することにある。
【００１０】
また本発明の他の目的とするところは、装着体に係止突起を設け、装着体の係止突起を係止する位置又は係止しない位置の間で変位する係止爪を第１シャーシに設け、係止突起を係止する位置へ係止爪を付勢し、装着体を摺動させた場合に、係止突起が係止爪の傾斜部分に当接して、係止爪を係止しない位置へ変位させる構成とし、また、記憶媒体を取り出す場合に係止爪を係止しない位置へ変位させる構成とすることにより、手動で摺動させて装着体を第１シャーシに係止させ、第１シャーシと共に自動的に摺動させることができ、また、記憶媒体を取り出す場合には第１シャーシによる装着体の係止を自動的に解除することができる記憶媒体装着装置を提供することにある。
【００１１】
また本発明の他の目的とするところは、モータと、モータの回転運動を第１シャーシの摺動方向での直線運動に変換するギヤ機構とを備える構成とすることにより、簡単に第１シャーシを自動的に摺動させることができる記憶媒体装着装置を提供することにある。
【００１２】
また本発明の他の目的とするところは、装着体の摺動方向について、第１シャーシ及びギヤ機構を、コネクタ部を間にして並べて配設する配設する構成とすることにより、摺動方向に交差する方向について、装置の幅を短くすることができ、小型化することができる記憶媒体装着装置を提供することにある。
【００１３】
また本発明の他の目的とするところは、モータの回転軸に連結された回転体を、第２シャーシに固定されるカバーに形成された開口から露出させる構成とすることにより、モータ又はモータを動作させる回路等が故障した場合であっても、回転体を回転させて装着体に装着された記憶媒体を取り出すことができる記憶媒体装着装置を提供することにある。
【課題を解決するための手段】
【００１４】
本発明に係る記憶媒体装着装置は、記憶媒体が装着される装着体と、記憶媒体に設けられたコネクタ接続部に接続されるコネクタ部とを備える記憶媒体装着装置において、前記装着体が移動可能に取り付けられた第１シャーシと、該第１シャーシが移動可能に取り付けられた第２シャーシと、前記装着体を前記第１シャーシに係止する係止手段と、前記第１シャーシを移動させるアクチュエータとを備え、前記コネクタ部は前記第２シャーシに配設してあり、前記アクチュエータが前記第１シャーシを移動させて、前記装着体に装着された記憶媒体のコネクタ接続部を前記コネクタ部に接続するようにしてあることを特徴とする。
【００１５】
本発明においては、記憶媒体が装着される装着体を移動可能に第１シャーシに取り付け、第１シャーシを移動可能に第２シャーシに取り付ける。更に、装着体を第１シャーシに係止する手段と、第１シャーシを自動的に移動させるアクチュエータとを設け、装着体に装着された記憶媒体を、第１シャーシを移動させることによりコネクタ部へ接続する。記憶媒体の装着を自動化することができると共に、装着体の移動を手動とし、第１シャーシのみを自動的に移動させることによって、全てを自動的に移動させる場合と比較して、自動による移動量を少なくできるため、オートローディング機構が小型化でき、記憶媒体装着装置が小型化できる。
【００１６】
また、本発明に係る記憶媒体装着装置は、記憶媒体が装着される装着体と、記憶媒体に設けられたコネクタ接続部に接続されるコネクタ部とを備える記憶媒体装着装置において、前記装着体が摺動可能に取り付けられた第１シャーシと、前記装着体の摺動方向へ前記第１シャーシが摺動可能に取り付けられた第２シャーシと、前記装着体を摺動の所定位置にて前記第１シャーシに対して係止する係止手段と、該係止手段により前記装着体が前記第１シャーシに係止された場合に、前記第１シャーシを前記第２シャーシに対して前記摺動方向へ摺動させる摺動手段とを備え、前記コネクタ部は前記第２シャーシに配設してあり、前記摺動手段が前記第１シャーシを摺動させて、前記装着体に装着された記憶媒体のコネクタ接続部を前記コネクタ部に接続するようにしてあることを特徴とする。
【００１７】
本発明においては、記憶媒体が装着される装着体を摺動可能に第１シャーシに取り付け、第１シャーシを摺動可能に第２シャーシに取り付ける。装着体を所定位置まで摺動させた場合に装着体を第１シャーシに係止すると共に、第１シャーシを自動的に摺動させて、装着体に装着された記憶媒体をコネクタ部へ接続する。記憶媒体の装着を自動化することができると共に、装着体の摺動を手動とし、第１シャーシのみを自動的に摺動させることによって、全てを自動的に摺動させる場合と比較して、自動摺動による移動量を少なくできるため、オートローディング機構が小型化でき、記憶媒体装着装置が小型化できる。
【００１８】
また、本発明に係る記憶媒体装着装置は、記憶媒体の装着解除指示を受け付ける受付手段と、前記係止手段による前記装着体及び前記第１シャーシの係止を解除する係止解除手段とを備え、該受付手段が装着解除指示を受け付けた場合、前記摺動手段は、前記コネクタ部への接続方向の反対方向へ前記第１シャーシを摺動させるようにしてあり、前記係止解除手段が、前記装着体及び前記第１シャーシの係止を解除するようにしてあることを特徴とする。
【００１９】
本発明においては、記憶媒体の装着解除指示を受け付けて、コネクタ部への接続方向と反対方向へ第１シャーシを摺動させると共に、装着体及び第１シャーシの係止を解除する。これにより、記憶媒体の取り出しを自動的に行うことができる。
【００２０】
また、本発明に係る記憶媒体装着装置は、前記装着体を前記反対方向へ付勢する付勢手段を備えることを特徴とする。
【００２１】
本発明においては、コネクタ部への接続方向と反対方向へ装着体を付勢する。これにより、記憶媒体の取り出し時に装着体及び第１シャーシの係止が解除された場合、装着体が付勢された方向へ摺動するため、記憶媒体の取り出しが行いやすくなる。
【００２２】
また、本発明に係る記憶媒体装着装置は、前記係止手段が、前記装着体に突設された係止突起と、該係止突起を係止する位置又は係止しない位置の間で変位可能に前記第１シャーシに設けられ、前記摺動方向に対して傾斜した傾斜部分を有する係止爪と、該係止爪を前記係止する位置へ付勢する付勢手段とを有し、前記装着体に装着された記憶媒体のコネクタ接続部を前記コネクタ部に接続する方向へ前記装着体を摺動させ、前記係止突起が前記係止爪の傾斜部分に当接した場合に、前記係止突起が前記係止爪を前記係止しない位置へ変位させるようにしてあり、前記係止解除手段は、前記第２シャーシに配設され、前記係止爪を前記係止しない位置へ変位させるようにしてあることを特徴とする。
【００２３】
本発明においては、装着体に係止突起を設け、係止突起を係止する係止爪を第１シャーシに設ける。係止爪は、係止突起を係止する位置又は係止しない位置の間で変位できる構成とし、装着体の摺動方向に対して傾斜した傾斜部分を形成する。また、係止突起を係止する位置へ係止爪を付勢しておく。記憶媒体を装着体に装着して装着体を摺動させた場合、装着体の係止突起が係止爪の傾斜部分に当接し、係止突起を係止しない位置へ係止爪を変位させる。これにより、装着体を更に摺動させることができ、更に摺動させることによって装着体の係止突起と係止爪の傾斜部分とが当接しなくなり、係止突起を係止する位置へ係止爪が付勢されて変位し、係止突起が係止爪に係止され、装着体が第１シャーシに係止される。また、記憶媒体を取り出す場合には、第１シャーシの係止爪を変位させて係止を解除する。これらの構成によって、装着体を第１シャーシが確実に係止し、装着体及び第１シャーシを一体的に摺動させることができ、係止の解除を確実に行うことができる。
【００２４】
また、本発明に係る記憶媒体装着装置は、前記摺動手段が、モータと、該モータの回転運動を前記摺動方向での直線運動に変換するギヤ機構とを有し、該ギヤ機構により前記第１シャーシを直線的に摺動させるようにしてあることを特徴とする。
【００２５】
本発明においては、モータ及びギヤ機構を備えて、モータの回転運動をギヤ機構により直線運動に変換し、この直線運動により第１シャーシを摺動させる。これにより、確実に第１シャーシを自動的に摺動させることができる。
【００２６】
また、本発明に係る記憶媒体装着装置は、前記摺動方向について、前記第１シャーシ及び前記ギヤ機構が、前記コネクタ部を間にして並べて配してあることを特徴とする。
【００２７】
本発明においては、装着体の摺動方向について、第１シャーシ及びギヤ機構を、コネクタ部を間にして並べて配設する。これにより、第１シャーシ及びギヤ機構を摺動方向と交差する方向に並べて配設する場合と比較して、摺動方向に交差する方向の記憶媒体装着装置の幅を短くすることができ、また、第１シャーシ及びギヤ機構を重ねて配設する場合と比較して、記憶媒体装着装置を薄くすることができる。
【００２８】
また、本発明に係る記憶媒体装着装置は、前記モータ及び前記ギヤ機構が、前記第２シャーシに配設してあり、前記モータの回転軸に連結された回転体と、前記第２シャーシに固定されるカバーとを備え、前記回転体の一部又は全部が、前記カバーに形成された開口から外部へ露出するようにしてあることを特徴とする。
【００２９】
本発明においては、モータ及びギヤ機構を第２シャーシに配設し、モータの回転軸には回転体を連結する。また、第２シャーシに固定されたカバーに開口を形成して、回転体を露出させる。故障によりモータが回転しない場合には、回転体を手動で回転させることにより、ギヤ機構を動作させて第１シャーシを摺動させることができ、記憶媒体装着装置を分解することなく、装着体に装着された記憶媒体を取り出すことができる。
【発明の効果】
【００３０】
本発明による場合は、記憶媒体が装着された装着体を手動で第１シャーシに対して移動させ、装着体を第１シャーシに係止し、アクチュエータにより第１シャーシを第２シャーシに対して自動的に移動させて、記憶媒体のコネクタ接続部を第２シャーシに設けられたコネクタ部に接続する構成とすることにより、記憶媒体の装着を自動化することができるため、オートローディング機構を搭載することができ、記憶媒体のコネクタ接続部をコネクタ部に確実に電気的に接続することができる。また、オートローディング機構を小型化することができるため、記憶媒体装着装置を小型化でき、ノートパソコン又は携帯機器等の小型の電気機器に搭載することができる。
【００３１】
また、本発明による場合は、記憶媒体が装着された装着体を手動で第１シャーシに対して所定位置まで摺動させ、所定位置にて装着体を第１シャーシに係止し、係止後に第１シャーシを第２シャーシに対して自動的に摺動させて、記憶媒体のコネクタ接続部を第２シャーシに設けられたコネクタ部に接続する構成とすることにより、記憶媒体の装着を自動化することができるため、オートローディング機構を搭載することができ、記憶媒体のコネクタ接続部をコネクタ部に確実に電気的に接続することができる。また、オートローディング機構を小型化することができるため、記憶媒体装着装置を小型化でき、ノートパソコン又は携帯機器等の小型の電気機器に搭載することができる。
【００３２】
また、本発明による場合は、記憶媒体の装着解除指示を受け付けた場合に、記憶媒体のコネクタ接続部を第２シャーシに設けられたコネクタ部に接続する方向の反対方向へ、第１シャーシを自動的に摺動させ、装着体及び第１シャーシの係止を解除する構成とすることにより、記憶媒体の取り出しを自動的に行うことができるため、記憶媒体装着装置の利便性を向上することができる。
【００３３】
また、本発明による場合は、記憶媒体のコネクタ接続部を第２シャーシに設けられたコネクタ部に接続する方向の反対方向へ、装着体を付勢する付勢手段を備える構成とすることにより、記憶媒体の取り出し時に装着体及び第１シャーシの係止が解除された場合、付勢された方向へ装着体が摺動するため、記憶媒体の取り出しを行いやすく、記憶媒体装着装置の利便性を向上することができる。
【００３４】
また、本発明による場合は、装着体に係止突起を設け、装着体の係止突起を係止する位置又は係止しない位置の間で変位する係止爪を第１シャーシに設け、係止突起を係止する位置へ係止爪を付勢し、装着体を摺動させた場合に、係止突起が係止爪の傾斜部分に当接して、係止爪を係止しない位置へ変位させる構成とすることにより、係止爪を変位させながら装着体を更に摺動させて係止突起を係止爪に係止させることができるため、装着体及び第１シャーシを一体的に摺動させることができ、また、記憶媒体を取り出す場合に係止爪を変位させる構成とすることにより、装着体及び第１シャーシの係止を確実に解除することができる。よって、オートローディング機構を確実に実現することができ、記憶媒体のコネクタ接続部を確実にコネクタ部に接続することができると共に、記憶媒体装着装置の利便性を向上することができる。
【００３５】
また、本発明による場合は、モータと、モータの回転運動を第１シャーシの摺動方向での直線運動に変換するギヤ機構とを備える構成とすることにより、確実に第１シャーシを自動的に摺動させることができるため、オートローディング機構を確実に実現することができ、記憶媒体のコネクタ接続部を確実にコネクタ部に接続することができると共に、記憶媒体装着装置の利便性を向上することができる。
【００３６】
また、本発明による場合は、装着体の摺動方向について、第１シャーシ及びギヤ機構を、コネクタ部を間にして並べて配設する配設する構成とすることにより、第１シャーシ及びギヤ機構を摺動方向と交差する方向に並べて配設する場合と比較して、摺動方向に交差する方向の記憶媒体装着装置の幅を短くすることができ、また、第１シャーシ及びギヤ機構を重ねて配設する場合と比較して、記憶媒体装着装置を薄くすることができるため、記憶媒体装着装置を小型化でき、ノートパソコン又は携帯機器等の小型の電気機器に搭載することができる。
【００３７】
また、本発明による場合は、モータの回転軸に連結された回転体を、第２シャーシに固定されるカバーに形成された開口から露出させる構成とすることにより、故障によりモータが回転しない場合には、回転体を手動で回転させ、ギヤ機構を動作させて第１シャーシを摺動させることができるため、記憶媒体装着装置を分解することなく、装着体に装着された記憶媒体を取り出すことができ、記憶媒体装着装置の利便性を向上することができる。
【発明を実施するための最良の形態】
【００３８】
以下、本発明をその実施の形態を示す図面に基づき具体的に説明する。図１は、本発明に係る記憶媒体装着装置の外観を示す斜視図である。図において１は記憶媒体装着装置の筐体であり、略矩形の板状をなしている。筐体１は、底面及び周側壁を有する金属製のメインシャーシ２と、メインシャーシ２の天面を覆う金属製のカバー３とにより構成され、カバー３はメインシャーシ２にねじ止めされている。筐体１の正面には、記憶媒体であるリムーバブルハードディスクが装着されるスライダー１０が筐体１内にスライドして出入可能に設けられ、正面の長手方向にスライダー１０と並べて、スライダー１０を排出させるエジェクトボタン５が設けられている。また、カバー３の奥側には略矩形の開口が形成され、この開口から露出するように、記憶媒体を強制的に排出するための、強制排出操作部６（後述する）が設けられている。なお、本実施の形態に係る記憶媒体装着装置に装着されるリムーバブルハードディスクは、ｉＶＤＲ規格のリムーバブルハードディスク（以下、単にｉＶＤＲという）である。
【００３９】
図２は、ｉＶＤＲの構成を示す斜視図である。本実施の形態に係る記憶媒体装着装置に装着可能なｉＶＤＲ１００は、１．８インチのリムーバブルハードディスクであり、略矩形の板状をなす合成樹脂製の筐体に収容されている。ｉＶＤＲ１００の一側面は、記憶媒体装着装置との電気的接続を行うためのコネクタ接続部１０６が設けられた装着面１０４をなし、装着面１０４には略矩形の開口１０５が形成され、ｉＶＤＲ１００の筐体内に設けられたコネクタ接続部１０６は開口１０５を通して記憶媒体装着装置との接続を行うようにしてある。また、ｉＶＤＲ１００の装着面１０４に交差する２つの側面１０１、１０１には、装着面１０４側の端部から側面１０１、１０１の長手方向の略中央まで、案内溝１０３、１０３がそれぞれ形成されており、側面１０１、１０１の案内溝１０３、１０３の上側には、ｉＶＤＲ１００の上面に連なる凹部１０２、１０２がそれぞれ形成されている。また、側面１０１、１０１には、装着面１０４の反対側の端部近傍に、ｉＶＤＲ１００の下面に連なる凹部１０７がそれぞれ形成されている（図２には１つのみ図示する）。
【００４０】
図３乃至図５は、本発明に係る記憶媒体装着装置の内部構成を示す斜視図であり、ｉＶＤＲ１００をスライダー１０に装着した状態を図示したものである。なお、内部視のために、カバー３の図示を省略してある。また、図３はスライダー１０がスライドして筐体１から最も突出した状態を示したものであり、図５はスライダー１０が筐体１に最も没入した状態を示したものであり、図４はスライダー１０が図３及び図５に示す位置の中間位置にある状態を示したものである。
【００４１】
記憶媒体装着装置は、メインシャーシ２に対してスライド可能に設けられたスライドシャーシ２０を備えており、スライダー１０はスライドシャーシ２０にスライド可能に支持されている。なお、スライダー１０のスライド方向と、スライドシャーシ２０のスライド方向とは同じ方向である。この構成により、スライダー１０をスライドシャーシ２０に対して最奥方までスライドさせ（図４参照）、更にスライドシャーシ２０をメインシャーシ２に対して最奥方までスライドさせる（図５参照）ことにより、スライダー１０が筐体１内に没入し、スライダー１０に装着されたｉＶＤＲ１００のコネクタ接続部１０６がメインシャーシ２に設けられたコネクタ部７に接続されるようにしてある。
【００４２】
図６は、本発明に係る記憶媒体装着装置のスライダー１０及びスライドシャーシ２０の構成を示す斜視図である。スライダー１０は、略矩形をなす底部１１と、底部１１を四方から囲んで設けられた正面壁部１２、奥壁部１３、側壁部１４及び１５とを備えている。正面壁部１２は、スライダー１０が筐体１内に没入した場合に筐体１の周側壁の正面側をなすものである。奥壁部１３は、正面壁部１２に対向する位置に設けられ、ｉＶＤＲ１００の開口１０５と略同じ又は開口１０５より若干大きい開口１３ａが形成されている。側壁部１４及び１５は、スライダー１０のスライド方向に沿って設けられた壁部であり、スライダー１０のスライド動作のガイド軸を兼ねており、側壁部１４及び１５がスライドシャーシ２０に保持されて、スライダー１０がスライド可能にスライドシャーシ２０に支持されるようにしてある。なお、側壁部１４はエジェクトボタン５が配された側の壁部をなし、側壁部１５はこれの反対側の壁部をなしており、側壁部１４には、スライダー１０のスライドシャーシ２０に対するスライド動作をロックするためのロック機構３０（後述する）の一部が設けられている。また、ｉＶＤＲ１００は、底部１１、正面壁部１２、奥壁部１３、側壁部１４及び１５により囲まれて形成された凹所に収納されて装着されるようにしてあり、装着されたｉＶＤＲ１００にずれが生じることがないように、凹所の大きさはｉＶＤＲ１００の大きさに合わせてあり、側壁部１４及び１５には、ｉＶＤＲ１００の２つの側面１０１にそれぞれ形成された２つの凹部１０７に係合する凸部１４ａ及び１５ａがそれぞれ設けられている。
【００４３】
スライドシャーシ２０は、スライダー１０が載せられる矩形領域２１ａを有する底部２１と、矩形領域２１ａの奥側に立設された奥壁部２２と、スライダー１０のスライド方向に沿って矩形領域２１ａの両側に設けられ、スライダー１０をスライド可能に保持するスライドガード２３及び２４とを備えている。奥壁部２２は、スライド方向に交差する方向に沿って設けられた略矩形の板体であり、スライダー１０の奥壁部１３に当接して、スライダー１０の奥方へのスライド動作を停止させるストッパーをなすものである。また、奥壁部２２には、メインシャーシ２に設けられたコネクタ部７が挿通可能な大きさの開口２２ａが形成されている。スライドガード２３及び２４は、スライド方向に交差する方向での断面が略コ字型をなし、スライダー１０の側壁部１４及び１５の上面、下面及び外側面をそれぞれ覆って保持するようにしてあり、スライドガード２３及び２４に沿ってスライダー１０がスライドするようにしてある。なお、スライドガード２３はエジェクトボタン５が配された側であり、スライドガード２４はこの反対側であり、スライドガード２３にロック機構３０の一部が設けられている。
【００４４】
また、底部２１は、矩形領域２１ａのスライドガード２４に近い奥側端から奥方へ延出した延出部分２１ｂを有しており、延出部分２１ｂには、スライドシャーシ２０のスライド方向にラック歯２５が配設されている。なお、ラック歯２５は、後述のギヤ機構の一部であり、スライドシャーシ２０のスライド動作を行うために用いられるものである。
【００４５】
また、スライダー１０の側壁部１４とスライドシャーシ２０のスライドガード２３との間には、コイルバネ８が介在してあり、スライダー１０を正面側へ、即ちｉＶＤＲ１００の取り出し位置へ向けて付勢してある。
【００４６】
図７及び図８は、本発明に係る記憶媒体装着装置のスライダー１０及びスライドシャーシ２０のロック機構３０の構成を示す拡大斜視図であり、図７に非ロック状態を示し、図８にロック状態を示してある。また、図７及び図８では、スライドガード２３の一部分を破断して、内部構造を図示してある。
【００４７】
スライダー１０の側壁部１４には、奥側端部の近傍の上面に、円柱状の係止突起３１が突設されている。また、スライドガード２３には、係止突起３１を係止してスライダー１０を正面方向へスライド不可能にロックする係止爪３２が、回動軸３３を中心に回動可能となるように設けられている。なお、係止突起３１及び係止爪３２の回動軸３３は、スライダー１０のスライド方向に並ぶように設けられている。
【００４８】
係止爪３２は略Ｗ字型の板状部材であり、係止爪３２の一端には傾斜部分３２ａ及び係止部分３２ｂが形成され、係止爪３２の他端にはコイルバネ３４の一端が接続されている。コイルバネ３４の他端はスライドガード２３にねじ止めされたバネ固定板３５に固定されており、図７に示す状態を初期位置として、係止爪３２をこの初期位置へ戻る方向へ付勢するようにしてある。係止爪３２の傾斜部分３２ａは、この初期位置において、スライダー１０をスライドさせた場合の係止突起３１の移動軌跡に交差し、スライダー１０のスライド方向に対して略４５°程度傾斜するように形成してある。また、係止部分３２ｂは、係止突起３１の移動軌跡に交差し、スライド方向に略直交するように形成されている。
【００４９】
スライダー１０を正面側から奥側へスライドシャーシ２０に対してスライドさせた場合、スライドの最奥手前の位置にて、スライダー１０に設けられた係止突起３１がスライドシャーシ２０に設けられた係止爪３２の傾斜部分３２ａに当接するようにしてある（図７参照）。この状態から更にスライダー１０を奥側へスライドさせると、係止突起３１が傾斜部分３２ａを押圧して、係止爪３２を回動させる。その後、係止突起３１が傾斜部分３２ａの端部より奥方へ移動された場合、係止突起３１及び傾斜部分３２ａが当接せず、係止爪３２が係止突起３１により押圧されなくなるため、コイルバネ３４の付勢により係止爪３２が初期位置へ戻る（図８参照）。この状態からスライダー１０を正面側へスライドさせた場合、係止突起３１が係止爪３２の係止部分３２ｂに当接し、係止部分３２ｂはスライド方向に交差する方向に設けられているため係止爪３２を回動させることはできない。これにより、スライダー１０及びスライドシャーシ２０がロックされてスライド不可能となるようにしてある。
【００５０】
なお、係止爪３２には、回動軸３３からコイルバネ３４が接続された端部までの間に、ロック解除板３２ｃが固定されており、コイルバネ３４の付勢に抗してロック解除板３２ｃを奥方へ向けて押圧することにより、係止爪３２による係止突起３１の係止を解除する方向へ、係止爪３２を回動させることができるようにしてある。ロック解除板３２ｃを利用したロック解除機構については後述する。
【００５１】
本実施の形態に係る記憶媒体装着装置は、ロック機構３０によりスライダー１０及びスライドシャーシ２０がロックされたことを検出するロック検出手段（図示せず）を備えており、ロック検出手段がスライダー１０及びスライドシャーシ２０のロックを検出した場合、スライドシャーシ２０のスライドを自動的に開始するようにしてある。スライドシャーシ２０のメインシャーシ２に対するスライド動作は、スライドシャーシ２０に設けられたラック歯２５と、ラック歯２５に噛合するギヤを有するギヤ機構５０と、ギヤ機構５０を駆動するモータ４０とにより構成されるアクチュエータによって行われる。ギヤ機構５０及びモータ４０は、メインシャーシ２のコネクタ部７より奥側の位置に、即ちコネクタ部７を間にしてスライダー１０及びスライドシャーシ２０と対向する位置に配されている。
【００５２】
図９は、本発明に係る記憶媒体装着装置のモータ４０及びギヤ機構５０の一部分の構成を示す斜視図であり、（ａ）が上面視であり、（ｂ）が下面視である。モータ４０は金属製のモータホルダ４２にねじ止めにより固定され、モータ４０の回転軸４１には、ウォーム５１及び円板状の強制排出操作部６が軸を共有して連結されている。モータ４０の回転軸４１の先端は、モータホルダ４２に固定された軸受４３に受けられている。モータホルダ４２には略矩形の開口４２ａが形成され、強制排出操作部６の周面の一部が開口４２ａから露出するようにしてあり、この露出部分がカバー３に形成された開口から記憶媒体装着装置の筐体１の外部に露出するようにしてある。
【００５３】
また、モータホルダ４２には、ウォーム５１に噛合するウォームホイール部５２ａを有する歯車５２が、モータホルダ４２に設けられた回転軸４２ｂに回転可能にワッシャを用いて取り付けられている。歯車５２は、軸を共有して２種の歯車を一体成型したものであり、径の大きい歯車がウォームホイール部５２ａであり、径の小さい歯車が平歯車部５２ｂである。
【００５４】
図１０は、本発明に係る記憶媒体装着装置の構成を示す分解斜視図であり、カバー３をメインシャーシ２から外した状態を下面視で図示してある。カバー３の下面には、モータ４０及び歯車５２等が取り付けられたモータホルダ４２、歯車５３、歯車５４、駆動レバー５５及び歯車５６等が、即ちギヤ機構５０が設けられている。モータホルダ４２はカバー３にねじ止めされて固定されており、歯車５２の平歯車部５２ｂは、カバー３に回転可能の設けられた歯車５３に噛合して、モータ４０からの回転を歯車５３に伝達するようにしてある（図３〜図５参照）。歯車５３は、軸を共有して２種の平歯車を一体成型したものであり、径の大きい平歯車が歯車５２に噛合するようにしてある。歯車５３の径の小さい平歯車は、カバー３に回転可能に設けられた歯車５４に噛合するようにしてある。
【００５５】
図１１は、本発明に係る記憶媒体装着装置の歯車５４及び駆動レバー５５の構成を示す外観図であり、（ａ）が上面視であり、（ｂ）が下面視である。歯車５３に噛合する歯車５４は平歯車であり、カム溝５４ａが形成されている。カム溝５４ａは、歯車５４の中心からの距離が徐々に離れるように形成された略渦巻き型の溝である。駆動レバー５５は略扇型をなす板部材であり、円弧側の端部分に歯車５６に噛合する歯部５５ａが形成され、反対側の端部分近傍の支点５５ｂにてカバー３に回動可能に取り付けられている。また、駆動レバー５５の下面には、歯車５４のカム溝５４ａに係合する円柱状のカムフォロア５５ｃが突設されており、図中の矢印Ａ方向に歯車５４が回転した場合に、図中の矢印Ｂ方向に駆動レバー５５が回動するようにしてある。歯車５４が矢印Ａの逆方向に回転した場合は、駆動レバー５５も矢印Ｂの逆方向に回動する。
【００５６】
カバー３に回転可能の設けられ、駆動レバー５５の歯部５５ａに噛合する歯車５６は、軸を共有して径が同じ２種の平歯車を一体成型したものである（図３〜図５参照）。歯車５６の上側の平歯車に駆動レバー５５の歯部５５ａが噛合し、下側の平歯車はスライドシャーシ２０に設けられたラック歯２５に噛合するようにしてある。
【００５７】
よって、スライダー１０がロック機構３０によりスライドシャーシ２０にロックされたことが検出された場合、モータ４０が回転し、ギヤ機構５０では、モータ４０の回転によりウォーム５１が回転し、ウォーム５１が回転することによって歯車５２が回転し、歯車５２の回転が歯車５３を介して歯車５４に伝えられる。歯車５４が図１１の矢印Ａ方向に回転することにより、駆動レバー５５が図１１の矢印Ｂ方向に回動し、駆動レバー５５の歯部５５ａに噛合する歯車５６が回転駆動される。歯車５６の回転運動は、ラック歯２５により直線運動に変換され、これによりスライドシャーシ２０及びスライダー１０が一体で筐体１の奥側へスライドするようにしてある。
【００５８】
スライドシャーシ２０及びスライダー１０が最奥側へ移動した場合、メインシャーシ２に設けられたコネクタ部７が、スライドシャーシ２０の奥壁部２２に形成された開口２２ａ及びスライダー１０の奥壁部１３に形成された開口１３ａを通して、スライダー１０に装着されたｉＶＤＲ１００のコネクタ接続部１０６に接続されるようにしてあり、接続後にモータ４０の回転を停止するようにしてある。記憶媒体装着装置のコネクタ部７及びｉＶＤＲ１００のコネクタ接続部１０６が接続されることにより、ｉＶＤＲ１００に対するデータの読み出し及び書き込み等を行うことができる。
【００５９】
この状態で、ユーザがエジェクトボタン５を操作した場合、モータ４０は上述の場合と逆の方向に回転を開始するようにしてあり、これによりスライドシャーシ２０及びスライダー１０が一体に筐体１の正面側へスライドするようにしてあり、スライドシャーシ２０が最も正面側までスライドした後、ロック機構３０によるスライダー１０及びスライドシャーシ２０のロックをロック解除機構７０が解除するようにしてある。
【００６０】
図１２は、本発明に係る記憶媒体装着装置のロック解除機構７０の構成を示す斜視図であり、図４に示す状態で歯車５４及び駆動レバー５５等の図示を省略したものである。ロック解除機構７０は、ギヤ機構５０の歯車５４と同心で一体的に回転する円板カム７１を備えている。円板カム７１は、歯車５４と軸を共有する円板に、中心からの距離が徐々に離れるように略渦巻き型のカム溝７１ａを形成したものである。
【００６１】
カム溝７１ａに係合する円柱状のカムフォロア７２ａは、スライドシャーシ２０のスライド方向に略直交する方向へスライド可能にカバー３に取り付けられた略長方形の板状をなすスライドレバー７２の上面に突設されている。スライドレバー７２は、長手方向がスライドレバー７２のスライド方向となるように配されており、一端部分近傍にカムフォロア７２ａが設けられ、他端部分近傍の上面には円柱突起７２ｂが突設されている。
【００６２】
また、スライドレバー７２の他端のスライド先には、駆動レバー７３が回動可能にメインシャーシ２に設けられている。駆動レバー７３は細長い板状部材であり、一端には長手方向に対して傾斜した傾斜部分７３ａが形成され、他端近傍には略円形の貫通孔７３ｂが形成されている。駆動レバー７３は、スライドレバー７２の他端に設けられた円柱突起７２ｂが傾斜部分７３ａに当接するように配され、スライドレバー７２のスライド動作に伴って回動するようにしてある。
【００６３】
また、エジェクトボタン５に近い側のメインシャーシ２の側壁に沿って、途中に略９０°屈曲した部分を有する長い板状の解除レバー７４が配されており、解除レバー７４はメインシャーシ２の側壁に沿う方向、即ちスライドシャーシ２０のスライド方向と同じ方向へ、メインシャーシ２に対してスライド可能に設けられている。解除レバー７４の一端近傍の上面には円柱突起７４ａが突設され、駆動レバー７３の貫通孔７３ｂに嵌合してあり、駆動レバー７３の回動に伴って解除レバー７４がスライドするようにしてある。
【００６４】
解除レバー７４の他端部分、即ち屈曲した部分の先端部分の上面には、略円柱形の解除突起７４ｂが突設されており、解除レバー７４は、ロック機構３０の係止爪３２に設けられたロック解除板３２ｃの正面側に、解除突起７４ｂが対向するように配設されている。解除レバー７４のスライドにより解除突起７４ｂがロック解除板３２ｃに当接して押圧し、係止爪３２を回動させるようにしてある。また、解除レバー７４及びメインシャーシ２の間にはコイルバネ７５が介在しており、解除レバー７４はコイルバネ７５により正面側へ付勢されている。
【００６５】
よって、ユーザがエジェクトボタン５を操作した場合、モータ４０の回転によってギヤ機構５０によるスライドシャーシ２０の正面側へのスライド動作が行われると共に、ロック解除機構７０によるスライダー１０及びスライドシャーシ２０のロックの解除が行われるようにしてある。なお、ロック解除機構７０によるロックの解除が、スライドシャーシ２０が最も正面側へスライドした位置で行われるように、ロック解除機構７０のスライドレバー７２、駆動レバー７３及び解除レバー７４等の動作量が調整してある。
【００６６】
スライドシャーシ２０が最も正面側までスライドし、ロック解除機構７０によりスライダー１０及びスライドシャーシ２０のロックが解除された場合、スライダー１０はコイルバネ８の付勢によって正面方向へスライドする。これにより、ユーザはスライダー１０に装着されたｉＶＤＲ１００を取り出すことができる。
【００６７】
以上の構成の記憶媒体装着装置においては、スライダー１０を手動で所定位置までスライドさせ、その後にモータ４０及びギヤ機構５０によりスライドシャーシ２０を自動的にスライドさせて、スライダー１０に装着されたｉＶＤＲ１００のコネクタ接続部１０６をコネクタ部７に接続する構成とすることにより、スライダー１０及びスライドシャーシ２０を共に自動的にスライドさせる場合又はスライドシャーシ２０を設けずにスライダー１０のみをスライドさせる場合と比較して、スライドシャーシ２０のスライドによる移動量が少なくてよいため、ラック歯２５、駆動レバー５５及び歯車５４等が小型化でき、ギヤ機構５０を小型化できるため、記憶媒体装着装置を小型化することができる。
【００６８】
また、ロック機構３０によりスライダー１０及びスライドシャーシ２０をロックし、ロック解除機構７０によりロックを解除する構成とすることにより、スライダー１０及びスライドシャーシ２０を一体的に自動でスライドさせることができ、ロックの解除を自動的に行うことができる。また、コイルバネ８によりスライダー１０を付勢することにより、ロック解除機構７０によりロックが解除された後、スライダー１０を正面側へスライドさせることができるため、スライダー１０に装着されたｉＶＤＲ１００の取り出しを行いやすくできる。
【００６９】
また、スライダー１０及びスライドシャーシ２０のスライド方向について、スライダー１０及びスライドシャーシ２０とギヤ機構５０とをコネクタ部７を間にして並べて配設することにより、例えばギヤ機構５０をスライダー１０及びスライドシャーシ２０とメインシャーシ２の側壁との間に設ける場合と比較して、記憶媒体装着装置の正面側の幅を短くできるため、ノートパソコン及び携帯機器等の小型の機器に搭載しやすくなる。
【００７０】
また、モータ４０の回転軸４１に連結された強制排出操作部６の周面の一部分を筐体１の外部に露出させる構成とすることにより、例えばモータの故障又はモータを駆動する回路の故障等が発生した場合に、強制排出操作部６をユーザが回転させることによってギヤ機構５０及びロック解除機構７０を動作させて、スライドシャーシ２０及びスライダー１０をスライドさせることができるため、ｉＶＤＲ１００の取り出しを行うことができる。
【００７１】
なお、本実施の形態においては、スライダー１０に係止突起３１を設け、スライドシャーシ２０に係止爪３２を設ける構成としたが、これに限るものではなく、スライダー１０に係止爪を設け、スライドシャーシ２０に係止突起を設けてロックを行う構成としてもよく、係止突起及び係止爪以外の構成でロックを行ってもよい。また、ギヤ機構５０の各歯車の構成は図示のものに限定されるものではなく、ロック解除機構７０の各レバーの構成は図示のものに限定されるものではない。また、スライドシャーシ２０をラック歯２５、モータ４０及びギヤ機構５０によるアクチュエータを用いてスライドさせる構成としたが、これに限るものではなく、例えば電磁式のアクチュエータなどの他の構成のアクチュエータを用いてもよい。また、本実施の形態に係る記憶媒体装着装置はｉＶＤＲ１００を装着するものであるが、これに限るものではなく、他の記憶媒体を装着する装着装置に関しても同様の構成を適用することが可能である。
【図面の簡単な説明】
【００７２】
【図１】本発明に係る記憶媒体装着装置の外観を示す斜視図である。
【図２】ｉＶＤＲの構成を示す斜視図である。
【図３】本発明に係る記憶媒体装着装置の内部構成を示す斜視図である。
【図４】本発明に係る記憶媒体装着装置の内部構成を示す斜視図である。
【図５】本発明に係る記憶媒体装着装置の内部構成を示す斜視図である。
【図６】本発明に係る記憶媒体装着装置のスライダー及びスライドシャーシの構成を示す斜視図である。
【図７】本発明に係る記憶媒体装着装置のスライダー及びスライドシャーシのロック機構の構成を示す拡大斜視図である。
【図８】本発明に係る記憶媒体装着装置のスライダー及びスライドシャーシのロック機構の構成を示す拡大斜視図である。
【図９】本発明に係る記憶媒体装着装置のモータ及びギヤ機構の一部分の構成を示す斜視図である。
【図１０】本発明に係る記憶媒体装着装置の構成を示す分解斜視図である。
【図１１】本発明に係る記憶媒体装着装置の歯車及び駆動レバーの構成を示す外観図である。
【図１２】本発明に係る記憶媒体装着装置のロック解除機構の構成を示す斜視図である。
【符号の説明】
【００７３】
１  筐体
２  メインシャーシ（第２シャーシ）
３  カバー
５  エジェクトボタン（受付手段）
６  強制排出操作部（回転体）
７  コネクタ部
８  コイルバネ（付勢手段）
１０  スライダー（装着体）
１４、１５  側壁部
２０  スライドシャーシ（第１シャーシ）
２３、２４  スライドガード
２５  ラック歯（アクチュエータ、摺動手段）
３０  ロック機構（係止手段）
３１  係止突起
３２  係止爪
３２ａ  傾斜部分
３２ｂ  係止部分
３２ｃ  ロック解除板
３３  回動軸
３４  コイルバネ（付勢手段）
４０  モータ（アクチュエータ、摺動手段、ロック解除手段）
４１  回転軸
５０  ギヤ機構（アクチュエータ、摺動手段）
５１  ウォーム
５２、５３、５４  歯車
５４ａ  カム溝
５５  駆動レバー
５５ｃ  カムフォロア
５６  歯車
７０  ロック解除機構（係止解除手段）
７１  円板カム
７２  スライドレバー
７３  駆動レバー
７４  解除レバー
７４ｂ  解除突起
７５  コイルバネ
１００  ｉＶＤＲ（記憶媒体）
１０６  コネクタ接続部
【図１】
2007257717.tif 000003
【図２】
2007257717.tif 000004
【図３】
2007257717.tif 000005
【図４】
2007257717.tif 000006
【図５】
2007257717.tif 000007
【図６】
2007257717.tif 000008
【図７】
2007257717.tif 000009
【図８】
2007257717.tif 000010
【図９】
2007257717.tif 000011
【図１０】
2007257717.tif 000012
【図１１】
2007257717.tif 000013
【図１２】
2007257717.tif 000014